(57)【要約】      （修正有）【課題】安全かつ迅速なる取付けが可能な移動式足場用先行手すりを提供する。【解決手段】開口枠Ａ１上に所要段数の標準枠Ａ２を連結して形成する移動式足場Ａの最上段に形成するための安全枠であって、最上段の標準枠の四隅に立設されている柱杆ａの上端部寄りに取付けるための固定金具Ｎと、当該固定金具Ｎに対して昇降自在に挿し込むための手摺柱Ｍと、当該各手摺柱間の上下部に対して架設するための自由伸縮可能とする伸縮手摺Ｐとにより移動式足場用手摺を構成する。【選択図】図３
0003153708.tif 000002
【実用新案登録請求の範囲】
【請求項１】
開口枠(Ａ1)上に所要段数の標準枠(Ａ2)を連結して形成する移動式足場(Ａ)の最上段に形成するための安全枠であって、最上段の標準枠の四隅に立設されている柱杆(ａ)の上端部寄りに取付けるための固定金具(Ｎ)と、当該固定金具(Ｎ)に対して昇降自在に挿し込むための手摺柱(Ｍ)と、当該各手摺柱間の上下部に対して架設するための自由伸縮可能とする伸縮手摺(Ｐ)とから成る移動式足場用先行手すり。
【請求項２】
開口枠(Ａ1)上に所要段数の標準枠(Ａ2)を連結して形成する移動式足場(Ａ)の最上段に形成するための安全枠であって、
最上段の標準枠の四隅に立設されている柱杆(ａ)の上端部寄りに着脱自在に取付けられかつ下記する手摺柱Ｍを昇降自在に挿し込むための案内杆(１)を具えた固定金具(Ｎ)と、
上方寄りと下方寄りの両部には所定間隔を保って掛け止めピン形成用金具(５)を固設すると共に、当該掛け止めピン形成用金具(５)には下記する伸縮手摺(Ｐ)を着脱自在に取付けるための突起状掛止めピン(5ａ)を設けた手摺柱(Ｍ)と、
鞘状筒杆Ｐ1に対して伸縮杆Ｐ2を自由伸縮可能に嵌入させると共に、その両端には前記掛止めピン(5ａ)を回転自在に挿し込むための連結孔(Ｐ4)を形成した伸縮手摺Ｐとで構成した移動式足場用先行手すり。
【請求項３】
固定金具(Ｎ)として、最上段の標準枠の四隅に立設されている柱杆(ａ)に対して差し込むための枠固定用ピン(２)を案内杆(１)の上端寄りに設けると共に、当該案内杆(１)の背部下端寄りには当該柱杆(ａ)に対して引っ掛けるためのフック(３)を設け、更に、当該案内杆(１)の下端部分には手摺柱(Ｍ)の下端を受け止めその降下を阻止するための受け金具(４)を、当該案内杆(１)内に出入り自在とするように回動可能に取付けたものを用いて成る請求項１または請求項２の何れかに記載の移動式足場用先行手すり。
【請求項４】
伸縮手摺(Ｐ)として、鞘状筒杆(Ｐ1)に対して伸縮杆(Ｐ2)を摺動自在に嵌入させると共に、その両端に連結孔(Ｐ4)を具えた連結金具(Ｐ3)を固設するように構成したものを用いて成る請求項１乃至請求項３の何れかに記載の移動式足場用先行手すり。
【考案の詳細な説明】
【技術分野】
【０００１】
本考案は、工事中の建物の天井作業等の高所作業用として用いられる仮設用機材（仮設用足場）たる移動式足場の最上部に設置するための先行手すりに関する。
【背景技術】
【０００２】
従来、移動式足場のような仮設用機材は、その最上段に取付ける安全用手摺の設置作業は、当該最上段に踏板（足場板）を張設した後、作業員が当該踏板上に乗って当該最上段の四辺周縁部に手摺材を取付けるようにして行うものであった。  然し乍、移動式足場の最上段でのこのような手摺取付け作業は、作業員の落下事故を招く等の危険性が存在するため、所要箇所に対して安全帯のフックを引っ掛け、このような安全性確保のうえで、手摺の完成化を目指すような作業工程を採ることを通例とした（例えば、特許文献１参照。）。
【０００３】
【特許文献１】特開２００６−３２８６５２号公報
【考案の開示】
【考案が解決しようとする課題】
【０００４】
上述したような手摺の取付け作業であると、安全帯のフックを引っ掛けるための部材確保の必要性と、当該安全帯の引っ掛けに基づく作業員の作動の拘束性が生じて自由に動けないために作業上の齟齬をきたすと言うような問題が生じることを余儀なくされた。  更に、手摺における横桟の取付け作業は、これをボルト止め等に依存するため作業の迅速性を欠くばかりでなく、そのための安全性確保には種々の問題点が伴うことを余儀なくされた。
【０００５】
本考案はこのような従来の問題点の解消し、極めて安全にしてかつ迅速なる取付け目的が果されるようにした新規の移動式足場用先行手すりの提供を図ったものである。
【課題を解決するための手段】
【０００６】
本考案は請求項１に記載のように、開口枠Ａ1上に所要段数の標準枠Ａ2を連結して形成する移動式足場Ａの最上段に形成するための安全枠であって、最上段の標準枠の四隅に立設されている柱杆ａの上端部寄りに取付けるための固定金具Ｎと、当該固定金具Ｎに対して昇降自在に挿し込むための手摺柱Ｍと、当該各手摺柱間の上下部に対して架設するための自由伸縮可能とする伸縮手摺Ｐとから成る移動式足場用先行手すりに係るものである。
【０００７】
本考案は請求項２に記載のように、開口枠Ａ1上に所要段数の標準枠Ａ2を連結して形成する移動式足場Ａの最上段に形成するための安全枠であって、
最上段の標準枠の四隅に立設されている柱杆ａの上端部寄りに着脱自在に取付けられかつ下記する手摺柱Ｍを昇降自在に挿し込むための案内杆１を具えた固定金具Ｎと、
上方寄りと下方寄りの両部には所定間隔を保って掛け止めピン形成用金具５を固設すると共に、当該掛け止めピン形成用金具５には下記する伸縮手摺Ｐを着脱自在に取付けるための突起状掛止めピン5ａを設けた手摺柱Ｍと、
鞘状筒杆Ｐ1に対して伸縮杆Ｐ2を自由伸縮可能に嵌入させると共に、その両端には前記掛止めピン5ａを回転自在に挿し込むための連結孔Ｐ4を形成した伸縮手摺Ｐとで構成した
移動式足場用先行手すりに係るものである。
【０００８】
本考案は請求項３に記載のように、固定金具Ｎとして、最上段の標準枠の四隅に立設されている柱杆ａに対して差し込むための枠固定用ピン２を案内杆１の上端寄りに設けると共に、当該案内杆１の背部下端寄りには当該柱杆ａに対して引っ掛けるためのフック３を設け、更に、当該案内杆１の下端部分には手摺柱Ｍの下端を受け止めその降下を阻止するための受け金具４を、当該案内杆１内に出入り自在とするように回動可能に取付けたものを用いて成る請求項１または請求項２の何れかに記載の移動式足場用先行手すりを実施の態様とするものである。
【０００９】
本考案は請求項４に記載のように、伸縮手摺Ｐとして、鞘状筒杆Ｐ1に対して伸縮杆Ｐ2を摺動自在に嵌入させると共に、その両端に連結孔Ｐ4を具えた連結金具Ｐ3を固設するように構成したものを用いて成る請求項１乃至請求項３の何れかに記載の移動式足場用先行手すりを実施の態様とするものである。
【考案の効果】
【００１０】
本考案は請求項１に記載のような構成、すなわち、開口枠Ａ1上に所要段数の標準枠Ａ2を連結して形成する移動式足場Ａの最上段に形成するための安全枠であって、最上段の標準枠の四隅に立設されている柱杆ａの上端部寄りに取付けるための固定金具Ｎと、当該固定金具Ｎに対して昇降自在に挿し込むための手摺柱Ｍと、当該各手摺柱間の上下部に対して架設するための自由伸縮可能とする伸縮手摺Ｐとで構成するようにしたから、移動式足場Ａの最上段に形成するための安全枠の取付けは、最上段に位置する標準枠の上面に乗ることなく、当該標準枠内に居る状態でその取り付け作業を行うことができる。  従って、その作業の安全性は卓越したものとされる。
【００１１】
本考案は請求項２に記載のような構成、すなわち、開口枠Ａ1上に所要段数の標準枠Ａ2を連結して形成する移動式足場Ａの最上段に形成するための安全枠であって、最上段の標準枠の四隅に立設されている柱杆ａの上端部寄りに着脱自在に取付けられかつ下記する手摺柱Ｍを昇降自在に挿し込むための案内杆１を具えた固定金具Ｎと、上方寄りと下方寄りの両部には所定間隔を保って掛け止めピン形成用金具５を固設すると共に、当該掛け止めピン形成用金具５には下記する伸縮手摺Ｐを着脱自在に取付けるための突起状掛止めピン5ａを設けた手摺柱Ｍと、鞘状筒杆Ｐ1に対して伸縮杆Ｐ2を自由伸縮可能に嵌入させると共に、その両端には前記掛止めピン5ａを回転自在に挿し込むための連結孔Ｐ4を形成した伸縮手摺Ｐとで構成したから、上記した請求項1において記載したものと同様な作用効果を奏することができる。
【００１２】
更に、請求項２に記載のような構成の採用に基づき、上記した作用効果の達成が極めて合理的かつ確実に果されると共に、その機構的シンプル性から製造コストの低廉化を図ることができる。
【００１３】
本考案は請求項３に記載のような構成、すなわち、固定金具Ｎとして、最上段の標準枠の四隅に立設されている柱杆ａに対して差し込むための枠固定用ピン２を案内杆１の上端寄りに設けると共に、当該案内杆１の背部下端寄りには当該柱杆ａに対して引っ掛けるためのフック３を設け、更に、当該案内杆１の下端部分には手摺柱Ｍの下端を受け止めその降下を阻止するための受け金具４を、当該案内杆１内に出入り自在とするように回動可能に取付けたものを用いることにより、最上段の標準枠の四隅に立設されている柱杆ａに対する当該固定金具Ｎの取付けが極めて確実に成されると同時に、その着脱操作を極めて簡便に行うことができる。  従って、建築用足場である移動式足場に対する安全枠の組立て及び取外し作業が、著しく迅速かつ確実に行うことができる。
【００１４】
本考案は請求項４に記載のような構成、すなわち、伸縮手摺Ｐとして、鞘状筒杆Ｐ1に対して伸縮杆Ｐ2を摺動自在に嵌入させると共に、その両端に連結孔Ｐ4を具えた連結金具Ｐ3を固設したものを用いることにより、当該伸縮手摺Ｐの取付けの堅牢性及び確実性が図られることとなる。
【考案を実施するための最良の形態】
【００１５】
図１乃至図３は本考案に係る先行手すりの設置手順を段階的に表したものである。  同図１乃至図３において、Ａは既存のセーフティタワーを示し、本考案はこのような移動式足場の最上段に設置して作業の安全性を確保するための先行手すりに関するものである。  なお、同図に於いては、当該セーフティタワーＡとして二段に組み上げたものを表してあるが、これの段数は建設対象物に対応させて、例えば二段以上等所要の段数を構築するものである。  従って、本考案は当該移動式足場Ａの段数に対する制限性は存在せず、何れの段数であってもこれの最上段に設置するための安全用先行手すりを提供するものである（尤も、建築上の基準において最高７段までとする段数制限は存在する。）。
【００１６】
換言すると、当該移動式足場Ａは最下段に位置する開口枠Ａ1上に標準枠Ａ2を連結して形成されるものである。  そして、当該標準枠Ａ2とは二段目以降に積上げる矩形状枠体であり、建設対象物に即応する足場を形成するために所要段数を積上げるものである（図示の実施例においては当該標準枠Ａ2を一段だけ積上げたものを表してある）。
【００１７】
ａは標準枠Ａ2の四隅に立設される柱杆であって、本考案に係る先行手すりは当該四隅の柱杆ａに対して取付けるように構成したものである。
【００１８】
図４は本考案に係る先行手すりの柱部分を表したものであって、上記した標準枠Ａ2の四隅に立設される四本の柱杆ａに対してそれぞれ取付けるためのものである。  そして、当該柱部分は図５に示すように手摺柱Ｍと固定金具Ｎとで構成されているものである。
【００１９】
上記した固定金具Ｎには、手摺柱Ｍを昇降自在に挿し込むための案内杆１を具えており、当該案内杆１は最上段の標準枠Ａ2の四隅に立設される柱杆ａの上端部分に対して夫々固定されるように構成してある。
【００２０】
ところで、当該固定のための手段であるが、図示の実施例にあっては、上端部分に差込まれている枠固定用ピン２を、図８に示すように一旦引出した状態で、案内杆１を標準枠Ａ2の四隅に立設される柱杆ａの適性位置（上端位置）に合せ、然る後、上記枠固定用ピン２を柱杆ａに対して差し込むように突入させることによって、その上端部側の固定化を図るように構成してある。  従って、当該柱杆ａ側には当該枠固定用ピン２に対する受入用孔を予め穿設しておくものとする。
【００２１】
また、上記した案内杆１の背部下端寄りにはフック３が設けられており、図９に示すように当該フック３を柱杆ａに対して引っ掛けておくことにより、その下端部側での安定が図られるように構成してある。  結局、固定金具Ｎは標準枠Ａ2の四隅に立設される柱杆ａに対して、前述したような固定用ピン２による上端部側固定作用と、当該フック３による下端部側固定作用に基づき、確固たる安定状態に保たれるように構成されている。
【００２２】
然し乍、本考案において要部とするところは、最上段の標準枠Ａ2の四隅に立設される柱杆ａの上端部分に対して、固定金具Ｎを予め固定しておく点に存するものであり、そのための固定手段は図示の実施例に限定されるものではない。  換言すれば、当該固定金具Ｎの固定手段はボルト止め、緊締ベルト止め等適宜な手段であっても可とするものである。
【００２３】
前述した手摺柱Ｍであるが、これは上記のような固定状態にある固定金具Ｎに対して昇降自在に取付けられるものである。  すなわち、固定金具Ｎの案内杆１内に手摺柱Ｍの下端を差し込んだ状態、すなわち、当該手摺柱Ｍが引き伸ばされた状態（立上り状態）においては、当該手摺柱Ｍの下端は、固定金具Ｎの下端部寄りに設けられている受け金具４（当該受け金具４は、案内杆１内に出入り自在とするように回動自在に取付けられているものである。）により受け止められその降下が阻止された状態に保たれている。
【００２４】
この状態において、図10における「手順−１」に示すように、当該手摺柱Ｍを所定高さＬ（100ｍｍ程度）押し上げ、この状態で固定金具Ｎの下端部寄りに設けられている受け金具４を手動にて外へ跳ね出させて停止解除状態に位置させておく（図10における「手順−２」に示す状態）。  この状態に於いては、「手順−１」におけるような降下阻止が解除されるため、当該手摺柱Ｍはその降下が許容され「手順−３」及び「手順−４」に示すようにして手摺柱Ｍが最降下状態に保持されることとなる。  そして、この状態に於いては、当該手摺柱Ｍは最上段にある標準枠Ａ2の四隅に立設されている柱杆ａとほぼ同高さ的な並行状態が保たれることとなる。
【００２５】
上記した状態において、図11に示すようにして手摺柱Ｍを上方に押上げてゆけば、当該手摺柱Ｍは最上段にある標準枠Ａ2の四隅に立設されている柱杆ａの上方に突出するように押上げられることとなる。  すなわち、図11における「手順−１」及び「手順−２」示すように手摺柱Ｍを押し上げる共に、「手順−３」に示すように手摺柱Ｍを所定高さＬ（100ｍｍ程度）余分に押し上げ、この状態に於いて受け金具４を自動回転にて落下させることによって停止可能状態に転化させ、然る後、「手順−４」に示すように、手摺柱Ｍをやや降下させると共にその下端を当該受け金具４によって受け止めさせれば、当該手摺柱Ｍは伸長状態（立上り状態）での安定化が図られることとなる。
【００２６】
また、上記した手摺柱Ｍの上方寄りと下方寄りの両部には所定間隔（上下の手摺間隔）を保って掛け止めピン形成用金具５が固設されており、そして、当該掛け止めピン形成用金具５の所要箇所には、下記する伸縮手摺Ｐを着脱自在に取付けるための突起状掛止めピン5ａが設けられている。  なお、図示の実施例にあっては、当該突起状掛止めピン5ａは掛止め上の指向性と連結の汎用性を確保するために、互いに直交するような方向にそれぞれ二本設けてあるが、これは絶対的要件ではなく、単なる一つの実施例として表したものである。
【００２７】
図６及び図７は本考案における要旨部品の一つとする伸縮手摺Ｐを表したものである。  これは、鞘状筒杆Ｐ1に対して伸縮杆Ｐ2を摺動自在（自由伸縮可能）に嵌入させると共に、その両端に連結孔Ｐ4を具えた連結金具Ｐ3を固設して成るものである。
【００２８】
当該伸縮手摺Ｐは標準枠Ａ2の四隅に立設される柱杆ａの四面部分に並行して二本づつ取り付けるために、その各連結孔Ｐ4を上記手摺柱Ｍの掛止めピン5ａに掛止めて枢着的連結（回転可能状態での連結）が図られるように構成してある。（図２及び図３参照）
【００２９】
そして、当該伸縮手摺Ｐはその伸縮の自在性から、図９の各手順で説明したような手摺柱Ｍの上方への押し上げ運動を阻害することがない。  換言すると、隅角部に存在する四本の手摺柱Ｍの夫々単独での押し上げ操作を行った際、その押し上げ移動に伴う各手摺柱Ｍ間の距離（長さ）を、伸縮手摺Ｐの伸長運動及び縮小運動に基づき自動的に調節されるため、当該手摺Ｐの存在が手摺柱Ｍの押上げ運動を阻害することがない。  当該手摺柱Ｍの引下げ運動に際しても同様な連動的伸縮作用が奏されるものである。
【００３０】
なお、図示の実施例にあっては鞘状筒杆Ｐ1と伸縮杆Ｐ2の両者とも管材で形成してあるが、伸縮杆Ｐ2は棒状の杆材で形成しても良い。  そして、両端に別体部品として形成してある連結金具Ｐ3部分は、鞘状筒杆Ｐ1と伸縮杆Ｐ2の端部をプレス成形することにより一体成形するように構成してもよい。
【００３１】
本考案の使用に際しては、図１に示すように移動式足場を構成する最上段に位置する枠である標準枠Ｂの四隅に立設される四本の柱杆ａの上端寄りに対して、夫々固定金具Ｎを取付ける。  然る後、既述した図10に示すような手順で当該夫々の固定金具Ｎに対して手摺柱Ｍを昇降自在に取付ける。
【００３２】
この状態において、四隅に存在する各手摺柱Ｍ間を連結するように伸縮手摺Ｐを接続しておく。  このような準備作業が完了した後に、各手摺柱Ｍを既述した図11に示す手順でその押上げ操作を施すことにより、各伸縮手摺Ｐが順次上方に移動させられて標準枠Ｂの上面側に移動させられることとなる。
【００３３】
そして、このような移動操作を含め前記準備作業に関しても、全て最上段にある標準枠Ｂ内で行うものであるため、例えば最上位に位置する標準枠の天面に乗って手摺の組立て作業を行う場合に比して極めて安全に行うことが出来る。  そして、その作業はこのように最上段にある標準枠Ｂ内で行うものであるため、例えば安全ベルトの使用も柱杆ａを利用する等、既に構築されている部材を利用して適宜に行うことも可能とされる。
【００３４】
上記のような作業を行うことにより、図３に示すような手摺の装設が完了することとなる。  そして、足場解体に際する当該手摺の取り外し作業も、上記の逆操作に基づき達成されるため、その安全性も組立て時と同様に確保されることとなる。
【図面の簡単な説明】
【００３５】
【図１】移動式足場Ａに対して手摺の取付け準備状態を表した斜視図である。
【図２】移動式足場Ａに対する手摺の組立て完成途中を表した斜視図である。
【図３】移動式足場Ａに対する手摺の組立て完成状態を表した斜視図である。
【図４】本考案の要部を表した斜視図である。
【図５】本考案の要旨部品たる手摺柱Ｍと固定金具Ｎの分離状態を表した斜視図である。
【図６】本考案の要旨部品たる伸縮手摺Ｐの縮めた状態と伸ばした状態とを対比的に表した斜視図である。
【図７】本考案の要旨部品たる伸縮手摺Ｐの断面図である。
【図８】標準枠Ａ2の四隅に立設される柱杆ａに対して固定金具Ｎの上端部側固定形態を表した説明用斜視図である。
【図９】標準枠Ａ2の四隅に立設される柱杆ａに対して固定金具Ｎを取付けた状態の背面側を表した説明用斜視図である。
【図１０】固定金具Ｎに対する手摺柱Ｍの取付け工程を表した説明用手順図である。
【図１１】固定金具Ｎに対する手摺柱Ｍの引伸ばし工程を表した説明用手順図である。
【符号の説明】
【００３６】
Ａ  移動式足場
A1  開口枠
A2  標準枠
ａ  柱杆
Ｎ  固定金具
１  案内杆
２  枠固定用ピン
３  フック  
４  受け金具
Ｍ  手摺柱
５  掛け止めピン形成用金具
5a  突起状掛止めピン
Ｐ  伸縮手摺
P1  鞘状筒杆
P2  伸縮杆
P3  連結金具
P4  連結孔
【図１】
0003153708.tif 000003
【図２】
0003153708.tif 000004
【図３】
0003153708.tif 000005
【図４】
0003153708.tif 000006
【図５】
0003153708.tif 000007
【図６】
0003153708.tif 000008
【図７】
0003153708.tif 000009
【図８】
0003153708.tif 000010
【図９】
0003153708.tif 000011
【図１０】
0003153708.tif 000012
【図１１】
0003153708.tif 000013